(57)【特許請求の範囲】
【請求項１】
撮影光学系と、
上記撮影光学系が形成した被写体像を画像信号に変換する撮像素子と、
上記撮像素子が取得した画像信号から撮影可能な全領域に対応した画像を表示する通常表示形態もしくは該全領域の一部を拡大して表示する拡大表示形態で表示を行う表示手段と、
１ｓｔレリーズＳＷ及び２ｎｄレリーズＳＷから構成されるレリーズボタンと、
上記レリーズボタンが操作され１ｓｔレリーズＳＷがＯＮすると上記撮影光学系を駆動して被写体像を上記撮像素子へ結像後フォーカスロックし、更に２ｎｄレリーズＳＷがＯＮすると撮影動作を実行させる制御手段と、
を有し、
上記制御手段は、上記フォーカスロック前は上記表示手段に通常表示形態の表示を行わせ、上記フォーカスロック後は所定時間の間上記表示手段に拡大表示形態を行わせることを特徴とする電子的撮像装置。
【請求項２】
上記制御手段は、上記フォーカスロック後の所定時間が経過すると、上記表示手段の表示を拡大表示形態から通常表示形態へ変更させること特徴とする請求項１に記載の電子的撮像装置。
【請求項３】
撮影光学系と、
上記撮像光学系が形成した被写体像を画像信号に変換する撮像素子と、
上記撮像素子が取得した画像信号から撮影可能な全領域に対応した画像を表示する通常表示形態もしくは該全領域の一部を拡大して表示する拡大表示形態で表示を行う表示手段と、
手ぶれを検出する検出手段と、
１ｓｔレリーズＳＷ及び２ｎｄレリーズＳＷから構成されるレリーズボタンと、
上記レリーズボタンが操作され１ｓｔレリーズＳＷがＯＮすると上記撮影光学系を駆動して被写体像を上記撮像素子へ結像後フォーカスロックし、更に２ｎｄレリーズＳＷがＯＮすると撮影動作を実行する制御手段と、
を有し、
上記制御手段は、上記フォーカスロック前は上記表示手段に通常表示形態の表示を行わせ、上記フォーカスロック後は上記表示手段に拡大表示形態の表示を行わせ、上記フォーカスロック後の構図変更の動作が上記検出手段の出力から検出されると、上記表示手段の表示を拡大表示形態から通常表示形態へ変更させることを特徴とする電子的撮像装置。
【発明の詳細な説明】
【０００１】
【発明の属する技術分野】
この発明は、電子的撮像装置、詳しくは撮像素子等を利用して撮影光学系により結像される被写体像を電気的な画像信号として取得し記録すると共に、取得した画像信号に基づく画像を表示し得る表示手段を備えた電子的撮像装置に関するものである。
【０００２】
【従来の技術】
近年、撮影光学系によって結像される被写体像を、例えばＣＣＤ等の撮像素子を利用して電気的な信号に光電変換し、これにより得られた画像信号を所定の形態で記録媒体等に記録するように構成した電子スチルカメラ等の電子的撮像装置が実用化され、一般的に普及している。
【０００３】
このような電子的撮像装置においては、取得した画像信号に対して所定の信号処理を施すことにより、その画像信号に基づく画像と、この画像信号に付随する各種の情報等からなる画像データを視覚的に識別し得る形態で表示するようした液晶ディスプレイ（ＬＣＤ）等の表示手段を一体的に備えたものが一般的に実用化されている。
【０００４】
このような従来の電子的撮像装置において、表示手段として一般的に適用されている液晶ディスプレイ（ＬＣＤ）等は、小型のものである必要があるので、その表示能力、即ち表示解像度は、低解像度のものであるのが普通である。
【０００５】
したがって、このような表示手段により表示される画像では、撮影範囲や構図等の確認を行なうことはできるが、撮影時において行なわれる焦点調節動作、即ち撮影対象となる被写体の所望する位置に、焦点が合致しているか否かの焦点状態（ピントの状態）を表示手段に表示される画像によって確認することは困難である。
【０００６】
一方、表示手段は、撮影動作の結果、取得した画像データに基づく画像及びこれに付随する各種の情報を、撮影後に再生表示させることができるようになっているのが普通である。
【０００７】
そこで、再生動作時においては、取得された画像データに対して所定の信号処理を施すことで、画像の一部を拡大した形態の拡大画像を表示することができる機能を有した電子的撮像装置が実用化されている。これによれば、撮影済みの画像データに基づく画像の焦点状態を、撮影直後に容易に確認することができることになる。
【０００８】
他方、撮影動作時に手動によって焦点調節動作を行なう際には、所望する被写体像の焦点状態を予め把握することができれば至便である。そこで、例えば特開平５−２４４４７１号公報等によって開示されている手段では、撮影動作時に表示手段をファインダーとして利用しているときにも、表示画像の一部を拡大して表示させるようにし、実際に露光動作を実行する以前に予め所望の被写体像の焦点状態を確認することができるようにしている。
【０００９】
上記特開平５−２４４４７１号公報によって開示されている電子的撮像装置は、焦点調節用の操作部材を操作すると、表示手段（ＬＣＤモニター）に表示される画像の一部が拡大して表示されるようになっており、使用者は、この拡大された画像によって焦点調節のための操作を実行することになる。つまり、この場合においては、焦点調節用の操作部材を操作することにより、表示手段（ＬＣＤモニタ）の表示形態を任意に変更することができるようになっている。
【００１０】
【発明が解決しようとする課題】
ところが、上記特開平５−２４４４７１号公報に開示されている手段では、使用者が手動操作を実行することによって焦点調節を行なうように構成したものであるので、手動操作を行なうための操作や表示手段によって拡大された画像を表示させるための操作に加え、実際の露光動作を実行させるための種々の操作等を手動で行なう必要があり、煩雑な操作性となってしまっている。
【００１１】
この場合において、画面を拡大表示させるための操作と、所定の操作によって撮影光学系等を移動させる焦点調節操作とは、それぞれが全く独立している操作となっている。したがって、焦点調節動作のために拡大された画像の表示を表示手段によって予め確認し得る点においては有効な方法であるが、この電子的撮像装置の使用者は、新たに加えられた操作部材を操作しなければならないため、電子的撮像装置自体の操作が煩雑になっているという問題点がある。
【００１２】
本発明は、上述した点に鑑みてなされたものであって、その目的とするところは、表示手段を備えた電子的撮像装置において、撮影動作を実行する場合にも、より簡単な操作を行なうのみで、表示装置に表示される画像によって所望の被写体の焦点状態を容易に確認することができるようにした電子的撮像装置を提供することである。
【００１３】
【課題を解決するための手段】
上記目的を達成するために、本発明の第１の電子的撮像装置は、撮影光学系と、上記撮影光学系が形成した被写体像を画像信号に変換する撮像素子と、上記撮像素子が取得した画像信号から撮影可能な全領域に対応した画像を表示する通常表示形態もしくは該全領域の一部を拡大して表示する拡大表示形態で表示を行う表示手段と、１ｓｔレリーズＳＷ及び２ｎｄレリーズＳＷから構成されるレリーズボタンと、上記レリーズボタンが操作され１ｓｔレリーズＳＷがＯＮすると上記撮影光学系を駆動して被写体像を上記撮像素子へ結像後フォーカスロックし、更に２ｎｄレリーズＳＷがＯＮすると撮影動作を実行させる制御手段と、を有し、上記制御手段は、上記フォーカスロック前は上記表示手段に通常表示形態の表示を行わせ、上記フォーカスロック後は所定時間の間上記表示手段に拡大表示形態を行わせることを特徴とする。
【００１４】
本発明の第２の電子的撮像装置は、上記第１の電子的撮像装置において、上記制御手段は、上記フォーカスロック後の所定時間が経過すると、上記表示手段の表示を拡大表示形態から通常表示形態へ変更させること特徴とする。
【００１５】
本発明の第３の電子的撮像装置は、撮影光学系と、上記撮像光学系が形成した被写体像を画像信号に変換する撮像素子と、上記撮像素子が取得した画像信号から撮影可能な全領域に対応した画像を表示する通常表示形態もしくは該全領域の一部を拡大して表示する拡大表示形態で表示を行う表示手段と、手ぶれを検出する検出手段と、１ｓｔレリーズＳＷ及び２ｎｄレリーズＳＷから構成されるレリーズボタンと、上記レリーズボタンが操作され１ｓｔレリーズＳＷがＯＮすると上記撮影光学系を駆動して被写体像を上記撮像素子へ結像後フォーカスロックし、更に２ｎｄレリーズＳＷがＯＮすると撮影動作を実行する制御手段と、を有し、上記制御手段は、上記フォーカスロック前は上記表示手段に通常表示形態の表示を行わせ、上記フォーカスロック後は上記表示手段に拡大表示形態の表示を行わせ、上記フォーカスロック後の構図変更の動作が上記検出手段の出力から検出されると、上記表示手段の表示を拡大表示形態から通常表示形態へ変更させることを特徴とする。
【００１６】
【発明の実施の形態】
以下、図示の実施の形態によって本発明を説明する。
図１は、本発明の一実施形態の電子的撮像装置における内部構成を示すブロック構成図である。
【００１７】
本電子的撮像装置１は、装置全体の制御を司る制御手段であって、例えばＣＰＵ等によって構成されるシステムコントローラ２７を備えている。このシステムコントローラ２７には、各種の電気回路等が電気的に接続されていて、本電子的撮像装置１の各構成部材の動作を適宜制御するように構成されている。
【００１８】
本電子的撮像装置１の前面側には、被写体からの光束（以下、被写体光束という）を透過させて光学的な被写体像を結像させる撮影光学系１２が設けられている。この撮影光学系１２は、システムコントローラ２７からの所定の指令信号を受けてレンズ制御回路１４を介して制御されるレンズ駆動機構１３によって、光軸Ｏに沿う方向に移動自在に配置されている。このレンズ駆動機構１３は、駆動源となるモータや撮影光学系の所定のレンズの移動量を検出するセンサ等によって構成されている。そして、レンズ駆動機構１３及びレンズ制御回路１４は、撮影光学系１２を駆動するレンズ駆動手段であり、焦点調節手段の役目をしている。
【００１９】
なお、撮影光学系１２は、図１においては図示を省略しているが、例えば光軸Ｏに沿う方向に移動させることで被写体像を所定の位置に結像させる焦点調節動作に寄与するフォーカスレンズ等の複数のレンズによって構成されている。
【００２０】
撮影光学系１２の後方には、同撮影光学系１２を透過した被写体光束のうち赤外光成分を透過させずに可視光成分のみを透過させる赤外カットフイルターの役目をすると共に、高周波成分を透過させないようにする光学ローパスフイルターとしての役目をするフイルター１７と、このフイルター１７を透過した光束により形成される光学的な被写体像を受けて光電変換処理を行ない電気的な画像信号を生成する撮像手段であって、例えばＣＣＤ等によって構成される撮像素子１８が配設されている。
【００２１】
撮像素子１８には、Ａ／Ｄコンバーター１９及びタイミングパルス発生回路２８が電気的に接続されている。このタイミングパルス発生回路２８は、撮像素子１８を駆動する際に必要となる所定のパルス信号を出力すると共、同パルス信号をＡ／Ｄコンバーター１９に対しても出力するようになっており、Ａ／Ｄコンバーター１９は、タイミングパルス発生回路２８からのパルス信号に基づいて撮像素子１８が出力する画像信号（アナログ信号）をデジタル信号に変換する役目をするものである。
【００２２】
Ａ／Ｄコンバーター１９には、画像信号コントローラ２０が電気的に接続されている。この画像信号コントローラ２０は、ＤＳＰ等によって構成されタイミングパルス発生回路２８を介して撮像素子１８を制御すると共に、同撮像素子１８によって生成されＡ／Ｄコンバーター１９によりデジタル化された画像信号を受けて所定の補正処理や加工処理等の画像処理を施す画像処理手段であり、画像信号の高周波成分等を検出して表示される画像の焦点状態を検出し得る焦点検出手段であると共に、所定の形態となるようにデータの変換処理を行なう役目をするものである。そして、この画像信号コントローラ（以下、単にＤＳＰという）２０は、システムコントローラ２７に電気的に接続されていて、同システムコントローラ２７からの種々の指令信号を受け取り、撮像素子１８等の駆動制御を行なうようになっている。
【００２３】
また、ＤＳＰ２０には、同ＤＳＰ２０により所定の画像処理等が施される以前のデジタル画像信号、即ち撮像素子１８によって生成されＡ／Ｄコンバーター１９によりデジタル化された画像信号を一時的に記憶しておくため一時記憶手段であるＤＲＡＭ２５が電気的に接続されている。
【００２４】
さらに、ＤＳＰ２０には、画像圧伸回路２３が電気的に接続されている。この画像圧伸回路２３は、Ａ／Ｄコンバーター１９から出力されるデジタル画像信号あるいはＤＲＡＭ２５に記憶された画像信号等を受けて、これに対して記録媒体２４に記録するのに最適な形態の画像データとするための圧縮処理、具体的には例えばＪＰＥＧ方式の圧縮処理を施してファイルした画像データを生成したり、記録媒体２４に記録済みの画像データを読み出して、後述する表示装置２２に画像として表示するのに最適な形態の画像信号に変換するための伸長処理等を施すものである。
【００２５】
そして、画像圧伸回路２３には、本電子的撮像装置１により取得される画像データを例えばＪＰＥＧファイル等の形態で記録し得る記録媒体２４が電気的に接続されている。この記録媒体２４としては、例えばハードディスク媒体やフロッピーディスク媒体等の各種の磁気記録媒体や、フラッシュメモリ等の半導体メモリ等、各種の記録媒体が利用され得る。
【００２６】
また、ＤＳＰ２０には、表示装置２２を制御し、これに表示すべき画像信号を出力する表示回路２１が電気的に接続されている。この表示回路２１には、上述のようにして撮像素子１８を利用することにより取得された所定の形態の画像信号を受けて、これによって表わされる画像を視覚的に表示し得る装置、例えば液晶ディスプレイ（ＬＣＤ）等の表示装置２２が電気的に接続されている。つまり、表示回路２１及び表示装置２２は、撮像素子１８により取得された画像信号に基づく画像を表示する表示手段の役目をしている。
【００２７】
一方、本電子的撮像装置１の前面側において、上述の撮影光学系１２の近傍には、被写体までの距離を検出するための測距センサ１５が設けられている。この測距センサ１１は、一対のセパレータレンズ１５ａと、このセパレータレンズ１５ａの後方において、同レンズ１５ａに対向するようにして配置される一対のラインセンサ１５ｂ等によって構成されている。そして、この測距センサ１５には、システムコントローラ２７の指令を受けて同測距センサ１５を制御する測距回路１６が電気的に接続されている。
【００２８】
これにより、セパレータレンズ１５ａを透過した被写体光束は、ラインセンサ１５ｂの受光面上に光学的な被写体像を形成し、ラインセンサ１５ｂは、この被写体像を光電変換することにより所定の形態の電気信号を生成するようになっている。このようにして生成された電気信号は、測距回路１６へと出力され、この測距回路１６によって被写体までの距離が算出されるようになっている。そして、その算出結果は、測距回路１６からシステムコントローラ２７へと伝送され、この被写体距離に関するデータを受けてシステムコントローラ２７は、レンズ制御回路１４を介してレンズ駆動機構１３を駆動制御するようになっている。このようにして、撮影光学系１２は、測距回路１６の算出結果（被写体距離に係るデータ）に基づいて適切な方向及び移動量で移動されて、撮像素子１８の受光面上に合焦状態の被写体像が結像されるようになっている。
【００２９】
また、システムコントローラ２７には、システム全体の制御等に必要な各種の制御パラメータ等を予め記憶させた不揮発性メモリ等からなるＥＥＰＲＯＭ２６が電気的に接続されている。
【００３０】
さらに、システムコントローラ２７には、各種の動作を行なわせるための指令信号等を発生させるための複数の手動操作部材に連動する複数の操作スイッチ等が電気的に接続されている。この複数の操作スイッチのうち主なものとしては、次に示すようなものがある。例えば、
・本電子的撮像装置１の各種の電気回路等に対して電力の供給を行なう電源ユニット（図示せず）に接続され、電力の供給を開始させる指令信号（パワーオン信号）又は電力の供給を停止させる指令信号（パワーオフ信号）を生じさせるパワーＳＷ３１、
・撮影動作の実行を開始させるための指示信号を発生させるレリーズＳＷ３２、即ち実際の露光動作に先立って行なわれる測距動作及び／又は測光動作等の実行の開始を指示する１ｓｔ．レリーズＳＷ３２ａと、実際の露光動作、即ち撮像素子１８等を駆動させて画像信号を取得するための所定の動作の実行の開始を指示する２ｎｄ．レリーズＳＷ３２ｂとからなる二段スイッチによって構成されるレリーズＳＷ３２、
・焦点調節動作に関する複数の動作形態、例えば１ｓｔ．レリーズＳＷからの測距動作を開始する指示信号を受けて自動的に焦点調節動作を実行する自動焦点調節モード（オートフォーカスモード；以下、ＡＦモードという）と、使用者が所定の手動操作によって焦点調節動作を実行し得る手動焦点調節モード（マニュアルフォーカスモード；以下、ＭＦモードという）とを切り換え指示するＡＦ／ＭＦ切換ＳＷ３３、
・表示装置２２の表示画面に表示される画像の拡大率の設定を変更する指示を行なう倍率変更ＳＷ３４、
・撮影光学系１２の一部を構成するフォーカスレンズ（図示せず）を光軸Ｏに沿う方向に駆動して移動させて任意に手動による焦点調節動作の実行の開始を指示するスイッチであって、フォーカスレンズを繰り出す方向へと移動させる指示信号を発生させるレンズアップスイッチ（以下、レンズＵＰＳＷという）３５と、同フォーカスレンズを繰り込む方向へと移動させる指示信号を発生させるレンズダウンスイッチ（以下、レンズＤＯＷＮＳＷ）３６、
等がある。
【００３１】
図２は、本発明の電子的撮像装置を背面側から見た場合の外観斜視図であって、上述の複数の操作スイッチの状態を変化させるための各種の手動操作部材の配置を示している。
【００３２】
図２に示すように、本電子的撮像装置１の上面側の一端部寄りの所定の位置には、撮影動作の開始を指示する操作部材であって、撮影動作を開始信号を発するレリーズＳＷ３２に連動するレリーズボタン４２が配置されている。
また、本電子的撮像装置１の背面側に設けられた表示装置２２の表示部近傍には、パワーＳＷ３１に連動するパワーボタン４１、ＡＦ／ＭＦ切換ＳＷ３３に連動するＡＦ／ＭＦ切換ボタン４３、倍率変更ＳＷ３４に連動する倍率変更ボタン４４、レンズＵＰＳＷ３５に連動するレンズアップボタン（以下、レンズＵＰボタンという）４５、レンズＤＯＷＮＳＷ３６に連動するレンズダウンボタン（以下、レンズＤＯＷＮボタンという）４６等が、それぞれ所定の位置に配置されている。
【００３３】
本電子的撮像装置１の使用者は、上述の各種の手動操作部材を必要に応じて操作して、所定の指示信号を発生させることで、所定の動作を実行させることができるようになっている。そして、これらの操作をおこなうときには、表示装置２２の表示画面に表示される被写体像を観察しながら各種の動作を実行させることができるように、主に表示装置２２の表示画面近傍に配置されているのである。
【００３４】
なお、本電子的撮像装置１の前面側には、撮影光学系１２を内部に配置したレンズ鏡筒２が設けられている。また、表示装置２２の上縁部には、観察光学系としての光学ファインダーの接眼部３が配設されている。この光学ファインダーを利用すれば、光学的な被写体像を観察することができるようになっており、この光学ファインダーによって観察し得る被写体像を含む画面範囲は、撮像素子１８によって取得し得る画像信号により表わされる画像の範囲と略一致するように設定されている。
【００３５】
このように構成された本実施形態の電子的撮像装置１における撮影動作時のシステムコントローラの作用を図３・図４のフローチャートに基づいて、以下に説明する。
まず、使用者によってパワーボタン４１が操作されるとパワーＳＷ３１がオン状態になり、本電子的撮像装置１の各電気回路に対して電力の供給が開始され、これによりシステムコントローラ２７が動作を開始する。
【００３６】
この場合において、システムコントローラ２７は、図３に示すステップＳ１において、初期設定動作を実行する。この初期設定動作とは、メモリやＩ／Ｏポート、システムコントローラ２７に接続されている各種の電気回路を初期化したりＤＳＰ２０を起動させる等の動作である。
【００３７】
なお、本電子的撮像装置１における動作モードとしては、撮影動作を行なって画像信号の取得及び記録を行ない得る撮影モードと、撮影記録済みの画像信号に基づく画像を表示装置２２等を用いて再生表示し得る再生モードとがあり、これらの動作モードは、所定の動作モード切換スイッチに連動する動作モード切換ボタン（図示せず）によって交互に切り換えられるようになっている。そして、本電子的撮像装置１がパワーＳＷ３１の指示信号によって起動するときには、動作モード切換スイッチの指示信号による指示に従った動作モードで起動するようになっている。
【００３８】
なお、以下に説明する例では、本電子的撮像装置１のパワーオン直後の動作モードが撮影モードで起動されるようにしており、パワーオフによって電子的撮像装置１を不使用状態にすると、これに伴なって本電子的撮像装置１の状態が初期化された後に、電源が供給されないオフ状態となるようにしている。。
【００３９】
本電子的撮像装置１が撮影モードで起動して、上述のステップＳ１で初期設定動作が完了すると、次にステップＳ２において、システムコントローラ２７は、ＡＦ／ＭＦ切換ＳＷ３３の信号の状態を検出する。ここで、同ＡＦ／ＭＦ切換ＳＷ３３の指示信号がオン状態であることが確認されると、ＡＦモードが指示されているものと判断し、ステップＳ３の処理に進む。
【００４０】
また、ＡＦ／ＭＦ切換ＳＷ３３の指示信号がオフ状態であることが確認されると、ＭＦモードが指示されているものと判断し、後述する図４のステップＳ３１の処理に進む。
【００４１】
ステップＳ３において、システムコントローラ２７は、ＤＳＰ２０に対して撮像動作を指示する。この撮像動作は、撮像素子１８を連続的に繰り返し駆動させて表示装置２２に観察用の画像を動画像として表示する動作である。
【００４２】
即ち、ＤＳＰ２０は、撮像素子１８を制御して撮影光学系１２を透過して形成され撮像素子１８の受光面上に結像される被写体像を光電変換し画像信号を生成する。この画像信号は、Ａ／Ｄコンバーター１９を介してＤＳＰ２０へと伝送され、ここで所定の信号処理が施された後、表示回路２１を介して表示装置２２へと送られて画像として表示される。この一連の動作を連続的に繰り返して実行することにより、表示装置２２の表示画面上には動画像が表示されることになる。
【００４３】
次に、ステップＳ４において、システムコントローラ２７は、ＤＳＰ２０に対して表示領域（撮像範囲）を指示する。このときシステムコントローラ２７は、撮像素子１８によって取得し得る画像信号によって表わされる画像の全範囲が表示装置２２の表示画面上に表示されるように表示領域を自動的に設定することになる。
【００４４】
即ち、ステップＳ５において、システムコントローラ２７は、ＤＳＰ２０に対して指示した表示領域の画像信号に基づく画像が表示装置２２に表示されるように所定の指示信号を発生させる。
【００４５】
本電子的撮像装置１に搭載されている表示装置２２としては、上述したように液晶ディスプレイ（ＬＣＤ）が用いられており、その表示画素数は、撮像素子１８の画素数に比べてはるかに少ないものとなっている。したがって、撮像素子１８により取得された画像信号に基づく全範囲の画像を表示装置２２に表示させるためには、解像度（画素数）を低減させた画像信号を生成する必要がある。
【００４６】
そこで、ＤＳＰ２０においては、撮像素子１８により取得された画像信号に対して所定の信号圧縮処理を施して、表示装置２２で表示するのに最適な画像信号を生成するようにするのである。
【００４７】
つまり、ＤＳＰ２０は、ステップＳ４において表示領域の指示を受けて、撮像素子１８によって取得した画像信号を圧縮処理し、表示装置２２で表示するのに最適な画像信号を生成する。次いでステップＳ５の指示を受けてＤＳＰ２０は、ステップＳ４の処理で生成された画像信号を表示回路２１を介して表示装置２２へと出力するのである。
【００４８】
次に、ステップＳ６において、システムコントローラ２７は、１ｓｔ．レリーズＳＷ３２ａの状態を検出する。ここで、同１ｓｔ．レリーズＳＷ３２ａの状態がオフ状態であることが確認されるとステップＳ２の処理に戻り、以降の処理が繰り返される。
【００４９】
また、使用者によってレリーズボタン４２が操作され、１ｓｔ．レリーズＳＷ３２ａがオン状態にされ、このオン信号がシステムコントローラ２７によって確認された場合には、次のステップＳ７の処理に進む。
【００５０】
ステップＳ７においては、システムコントローラ２７は、測距回路１６を制御して被写体距離に関するデータを取得する。そして、取得された被写体距離データに基づいて必要となる撮影光学系１２の駆動量を算出する。
【００５１】
ステップＳ８においては、システムコントローラ２７は、上述のステップＳ７において算出された駆動量データを受けてレンズ制御回路１４を介してレンズ駆動機構１３を駆動制御して撮影光学系１２を設定された移動量で移動させる。
【００５２】
ステップＳ９において、システムコントローラ２７は、ＤＳＰ２０に対して撮像動作を指示する。ここでＤＳＰ２０は、撮像素子１８を駆動制御して画像信号を取り込む。
【００５３】
そして、ステップＳ１０において、システムコントローラ２７は、ＥＥＰＲＯＭ２６に予め設定されている自動焦点調節動作（以下、ＡＦ動作どいう）のための表示領域情報、即ち測距エリア近傍の表示領域（以下、ＡＦ表示領域と略記する）の情報を読み出し、次のステップＳ１１において、システムコントローラ２７は、ＤＳＰ２０に対してステップＳ１０で読み出したＡＦ表示領域の情報に基づく所定の画像処理を行なうよう指示する。
【００５４】
ここで、撮像素子１８により取得される画像信号に基づいて表示される画像の範囲と、ＡＦ表示領域との関係を図５に示す。
ＡＦ表示領域６１は、測距センサ１５の測距エリア５１を含むように設定されている。このＡＦ表示領域６１を小さく設定するほど、これに基づいて表示装置２２に表示される被写体像は大きく拡大されることになる。したがって、被写体像の焦点状態をより確実に観察することができる表示になる。
【００５５】
しかし、撮影動作を実行するときには、通常の場合、電子的撮像装置１自体は使用者の両手によって保持されているのが普通であるので、拡大表示によって被写体像の観察を行なう場合において、手ブレ等が生じると表示装置２２の表示画面に表示される被写体像の位置が大きく移動してことがある。このような状態になると、表示装置２２の表示画像を観察するのは困難になってしまうことになる。
【００５６】
また、同一の電子的撮像装置において、画素数の異なる撮像素子１８を配置するようにして、複数種類の電子的撮像装置を製造開発を行なうといことは、開発効率を上げるための常套手段としては一般的なことである。この場合においては、各電子的撮像装置に適用される撮像素子の画素数に対応させて最適なＡＦ表示領域を設定する必要があるのは当然のことである。
【００５７】
以上のことを考慮すると、ＡＦ表示領域を示す情報は、電子的撮像装置の種類毎に、また撮影時の状況等を考慮して、複数種類の情報を想定する必要がある。したがって、その情報量も大きなものとなるので、それぞれの電子的撮像装置に対応した設定値等の情報は、予め各電子的撮像装置の内部に設けられるＥＥＰＲＯＭ等に記憶させておくのが至便である。そこで、本電子的撮像装置１においては、これらの情報を不揮発性メモリからなるＥＥＰＲＯＭ２６に予め記憶するようにしてある。
【００５８】
そして、ＡＦ表示領域を具体的に示す情報としては、例えば図５に示すように撮像素子１８の受光面１８ａ上に仮の座標軸を設定し、設定すべきＡＦ表示領域６１の対角となる二点（Ｐｓｔ，Ｐｅｎｄ）を示す座標によって表わすようにすれば良い。また、このように設定される座標に対応する画素信号の位置情報、例えば撮像素子１８により取得された画像信号が一時的に記憶されているＤＲＡＭ２５のアドレス情報等を用いるようにしても良い。
【００５９】
ところで、近年一般的に実用化されている電子的撮像装置等においては、例えば測距センサの中に複数の測距エリアを設けて構成される測距手段が適用されているものがある。
【００６０】
例えば、図６に示す例は、三つの測距エリアを有する測距センサに対応するように設定したＡＦ表示領域を示すものである。この場合において、例えば測距センサが第１測距エリア５２に対応する被写体を選択して測距動作を実行するときには、座標（Ｐｓｔ１，Ｐｅｎｄ１）によって設定されるＡＦ表示領域６２を設定し、これを表示装置に表示するようにすれば良い。
【００６１】
また同様に、第２測距エリア５３が選択される場合には、座標（Ｐｓｔ２，Ｐｅｎｄ２）によって設定されるＡＦ表示領域６３が、第３測距エリア５４が選択される場合には、座標（Ｐｓｔ３，Ｐｅｎｄ３）によって設定されるＡＦ表示領域６４がそれぞれ設定されることになる。
【００６２】
上述したようにステップＳ１１において、ＤＳＰ２０は、システムコントローラ２７からＡＦ表示領域の指示を受けると、その指示されたＡＦ表示領域に対応する画像信号に基づいて表示装置２２の画素数に一致させるための信号圧縮処理を実行する。
【００６３】
そして、次のステップＳ１２において、システムコントローラ２７は、ＤＳＰ２０に対して指示したＡＦ表示領域の画像信号に基づく画像を表示させるよう指示する。これを受けてＤＳＰ２０は、圧縮処理により表示するのに最適化した画像信号を表示回路２１を介して表示装置２２へと送る。これにより所定の画像が表示装置２２の表示画面上に表示される。
【００６４】
このように、上述のステップＳ７〜ステップＳ１２の一連の動作がなされることにより、ＡＦ動作に連動して測距エリア近傍の所定の領域のみが拡大表示されることになる。
【００６５】
次にステップＳ１３において、システムコントローラ２７は、自己の内部に設けられるタイマカウンタ（図示せず）を動作させ、計数動作を開始する。ここで行なわれるタイマカウンタの計数動作は、表示装置２２に表示する拡大表示画像の表示時間を規定するためのものであって、同拡大画像の表示が所定の時間の間においてのみ行なわれるようにするものである。
【００６６】
次いでステップＳ１４において、システムコントローラ２７は、１ｓｔ．レリーズＳＷ３２ａの状態を検出する。ここで、同１ｓｔ．レリーズＳＷ３２ａがオフ状態にあることが確認されるとステップＳ２の処理に戻り、以降の動作を繰り返す。また、同１ｓｔ．レリーズＳＷ３２ａがオン状態にあることが確認されるとステップＳ１５の処理に進む。
【００６７】
ステップＳ１５において、システムコントローラ２７は、２ｎｄ．レリーズＳＷ３２ｂの状態を検出する。ここで、２ｎｄ．レリーズＳＷ３２ｂがオフ状態にあることが確認されるとステップＳ１６の処理に進む。また、同２ｎｄ．レリーズＳＷ３２ｂがオン状態にあることが確認されるとステップＳ２２の処理に進む。
【００６８】
ステップＳ１６において、システムコントローラ２７は、所定時間が経過したか否か、即ちタイマカウンタの計数値が所定の時間を上回ったか否かを判定する。ここで、所定時間が経過したものと判断された場合には、拡大表示が解除されて、通常の表示形態での表示を行なうべく、次のステップＳ１７の処理に進む。また、所定時間が未だ経過していないものと判断された場合には、拡大表示を維持したまま上述のステップＳ１４の処理に戻り、以降の処理を繰り返し、レリーズＳＷ３２の状態を改めて検出する処理がなされる。
【００６９】
つまり、上述のステップＳ１４〜Ｓ１６の処理では、レリーズＳＷ３２の半押し、即ち１ｓｔ．レリーズＳＷ３２ａのみがオン状態であるときには、使用者は、所定の時間の間だけ、所定のＡＦ表示領域の拡大画像を表示装置２２により観察することができるわけである。
【００７０】
そして、撮影を行なうためにレリーズＳＷ３２をさらに押し込み、２ｎｄ．レリーズＳＷ３２ｂをオン状態とすることで、このオン信号が検出されると（ステップＳ１６）、ステップＳ２２の処理へと移行して、後述する実際の露光動作が開始されることになるのである。
【００７１】
なお、ステップＳ１７〜Ｓ１９の処理は、上述のステップＳ３〜Ｓ５の処理と全く同様の処理となっている。
即ち、上述したようにステップＳ１４〜Ｓ１６の処理において、レリーズＳＷ３２の１ｓｔ．レリーズＳＷ３２ａのみがオン状態のまま、２ｎｄ．レリーズＳＷ３２ｂがオフ状態のまま所定の時間が経過した場合には、拡大表示が解除されてステップＳ１７へと移行することになる。そして、ステップＳ１７〜Ｓ１９の処理では、撮像素子１８によって取得された画像信号に基づいて全範囲の画像が連続的に表示装置２２の表示画面上に表示する撮像動作が実行されることになる。
【００７２】
次いでステップＳ２０において、システムコントローラ２７は、１ｓｔ．レリーズＳＷ３２ａの状態を検出し、同ＳＷ３２ａがオフ状態であればステップＳ２の処理に戻り、以降の処理を繰り返す。また、同ＳＷ３２ａがオン状態であれば次のステップＳ２１の処理に進む。
【００７３】
ステップＳ２１において、システムコントローラ２７は、２ｎｄ．レリーズＳＷ３２ｂの状態を検出する。ここで、同ＳＷ３２ｂがオフ状態であれば、ステップＳ１７の処理に戻り、以降の処理が繰り返される。また、同ＳＷ３２ｂがオン状態であることが確認された場合には、実際の露光動作を実行するためにステップＳ２２の処理へと移行する。
【００７４】
なお、上述のステップＳ１７〜Ｓ２１の一連の処理は、例えばＡＦ動作を実行した後に焦点位置を維持しながら構図を変更するための、いわゆるフォーカスロック状態を生じさせる一連の処理となっている。
【００７５】
即ち、上述のステップＳ７〜Ｓ８においてＡＦ動作が実行されることによって、ＡＦエリア内の所定の被写体に対する焦点調節動作が自動的に行なわれる。そして、１ｓｔ．レリーズＳＷ３２ａを押し続けている限りは、即ち同ＳＷ３２ａが一度オフ状態となり再度オン状態となるまでは、その状態を維持しながら次のＡＦ動作を実行させないようにする状態、即ちフォーカスロック状態が維持されるのである。
【００７６】
このようにフォーカスロック状態にあるときには、１ｓｔ．レリーズＳＷ３２ａのオン状態を維持している限り、設定された焦点状態を維持しながら構図を変更することが可能となっている。したがって、使用者は、１ｓｔ．レリーズＳＷ３２ａのオン状態を維持しながら、上述のステップＳ１４〜Ｓ１６の処理、即ち表示装置２２へのＡＦ表示領域の拡大画像の表示処理の終了を待って、続くステップＳ１７〜Ｓ１９の処理がなされている間、即ち表示装置２２に撮影し得る全範囲の表示がなされている間に、表示装置２２の表示画面上に表示される画像を観察しながら構図を決めることができるわけである。
【００７７】
そして、ステップＳ１７〜Ｓ１９の処理では、１ｓｔ．レリーズＳＷ３２ａがオン状態である限り繰り返され、表示装置２２の表示画面上には、連続的な画像が表示されることによって動画像表示がなされる。したがって、使用者は、この動画像表示を観察しながら構図の決定を行なって、所望の構図を決定したら、その時点でレリーズＳＷ３２を押し込み、２ｎｄ．レリーズＳＷ３２ｂのオン信号を生じさせれば、実際の露光動作を開始させることができるわけである。
【００７８】
ところで、本実施形態においては、１ｓｔ．レリーズＳＷ３２ａのオン状態を維持し、所定時間が経過した時には、表示装置２２の拡大表示は、通常の表示形態、即ち撮像素子１８により取得し得る画像信号が表わし得る全範囲の表示となるようにしている。
【００７９】
この場合において、拡大表示を維持させておくための所定時間の設定については、次のようなことが考えられる。例えば所定時間を短く設定した場合には、使用者が拡大表示画像によってＡＦ動作による焦点状態を正確に把握することができずに不満を感じることがある。また、所定時間を長く設定した場合には、拡大画像の表示がなされている間は、構図の変更を行ないたくても全体の画像が把握できないことになり、構図変更動作に直ちに移ることができないという不満を感じることにもなる。
【００８０】
前者の場合には、設定時間をある程度長めにとることで解決し得るが、後者の場合には、構図を変更する動作に連動させて拡大画像の表示動作を通常の表示形態へと切り換えるようにする手段が考えられる。これを実現するための手段の例としては、次のようなものがある。
【００８１】
従来のカメラ等においては、手ブレやカメラブレ等による画像の劣化を防止するための防振光学系を備えて構成したものがある。このような装置においては、手ブレやカメラブレ等を検出するために小型ジャイロスコープを利用しているものがある。
【００８２】
そこで、これらの装置と同様の小型ジャイロスコープを利用して、構図を変更することに伴って生じるカメラの変位を検出するようにすれば、使用者が構図を変更する動作を行なったことを判別することができることになる。したがって、その検出結果を受けて表示装置の表示を拡大表示形態から通常表示形態へと切り換えるようにすれば良いのである。
【００８３】
図３に戻って、ステップＳ２２において、システムコントローラ２７は、ＤＳＰ２０に対して実際の露光動作を行なうための撮像動作を指示し、続いてステップＳ２３において、システムコントローラ２７は、ＤＳＰ２０に対して撮像素子１８により取得した画像信号を所定の形態で記録し得るように所定の画像処理を指示する。これを受けてＤＳＰ２０は、画像圧伸回路２３を制御して同画像信号を所定の画像フォーマット、例えばＪＰＥＧ形式の画像ファイルとなるように圧縮変換処理を実行させる。
【００８４】
続いてステップＳ２４において、システムコントローラ２７は、ＤＳＰ２０に対して上述のステップＳ２３において生成された画像ファイルを記録する記録動作の指示を行ない、これを受けてＤＳＰ２０は、同画像ファイルを記録媒体２４へと記録する。
【００８５】
一方、上述したようにステップＳ２（図３参照）において、システムコントローラ２７によるＡＦ／ＭＦ切換ＳＷ３３の指示信号の確認の結果、ＭＦモードを指示しているものと判断されて、図４のステップＳ３１の処理に進むと、このステップＳ３１において、システムコントローラ２７は、倍率変更ＳＷ３４の信号状態を検出する。ここで、同倍率変更ＳＷ３４の指示信号がオン状態であることが確認された場合には、ステップＳ３２の処理へ移行する。また、倍率変更ＳＷ３４の指示信号がオフ状態であることが確認された場合には、ステップＳ３９の処理へ移行する。
【００８６】
次いでステップＳ３２において、システムコントローラ２７は、自己の内部に設けられている倍率カウンタ（図示せず）のカウント値＝［３］となっているか否かの判断を行なう。ここで、同倍率カウンタのカウント値＝［３］であることが確認された場合には、ステップＳ３４の処理へ移行し、このステップＳ３４において、システムコントローラ２７は、倍率カウンタのカウント値を初期化する（リセット）。この初期化処理によって、同カウンタ値は［０］に設定される。
【００８７】
一方、上述のステップＳ３２において、倍率カウンタのカウント値＝［３］ではないことが確認されると、続いてステップＳ３３の処理へと移行して、同倍率カウンタのカウント値を一つだけ加算する（カウントアップする）。
【００８８】
このように、上述のステップＳ３１〜Ｓ３４の処理を繰り返すことにより、使用者は、倍率変更ＳＷ３４に連動する倍率変更ボタン４４を手動操作する毎に、倍率カウンタのカウント値が、例えば［０］→［１］→［２］→［３］→［０］→…のように順次変化することになる。
【００８９】
次に、ステップＳ３５に移行すると、システムコントローラ２７は、ＤＳＰ２０に対して所定の撮像動作を指示する。これを受けてＤＳＰ２０は、撮像素子１８を制御して画像信号を取り込む。
【００９０】
次いでステップＳ３６において、システムコントローラ２７は、ＥＥＰＲＯＭ２６において予め記憶されている所定の表示領域に関する情報（表１参照）を読み込む。
【００９１】
なお、図７は、本電子的撮像装置１をＭＦモードで撮影する際に設定し得る拡大表示を行なう場合の表示領域、即ち撮像素子１８の受光面１８ａの座標データに基づいて示される表示領域（表１参照）を示している。
【００９２】
【表１】
0004190094.tif 000002
そして、次のステップＳ３７において、システムコントローラ２７は、この時点において設定されている倍率カウンタのカウント値、即ち上述のステップＳ３３又はステップＳ３４において確認されたカウント値に基づいて、上述のステップＳ３６でＥＥＰＲＯＭ２６から読み込んだ情報（表１）を参照して所定の座標データを設定し、この座標データに基づく表示領域をＤＳＰ２０に対して指示する。
【００９３】
例えば、この時点において、倍率カウンタのカウント値＝［２］である場合には、座標データ（Ｐｓｔ２，Ｐｅｎｄ２）の情報がＤＳＰ２０へ送られることになる。これを受けてＤＳＰ２０では、座標データ（Ｐｓｔ２，Ｐｅｎｄ２）により示される表示領域の画像信号を表示装置２２の表示画素数に一致させるための信号圧縮処理を実行する。
【００９４】
そして、ステップＳ３８において、システムコントローラ２７は、ＤＳＰ２０を介して表示回路２１を制御して上述のステップＳ３７の処理により生成された画像信号に基づいて表わされる画像を表示装置２２へ表示するための指示を行なう。これを受けて、同画像信号がＤＳＰ２０から表示回路２１を介して表示装置２２へと出力され、表示装置２２の表示画面の全表示領域に対して拡大画像の表示を行なう。例えば、上述したように倍率カウンタのカウント値＝［２］であって、座標データ（Ｐｓｔ２，Ｐｅｎｄ２）が指示されている場合には、図７に示す表示領域６５の範囲の画像が拡大されて表示されることになる。
【００９５】
この場合において、使用者は、表示装置２２に表示される拡大画像を観察し、この拡大率が適当なものではないと判断すれば、所定の操作、即ち倍率変更ボタン４４を操作すればよい（ステップＳ３１）。この操作によって倍率変更ＳＷ３４からは所定の信号が発生するので、これを受けてシステムコントローラ２７は倍率カウンタのカウンタ値を変更し（ステップＳ３３・Ｓ３４）、よって表示装置２２の表示画面上には、所望の拡大画像が表示されるようになる（ステップＳ３５〜Ｓ３８）。
【００９６】
このようにしてステップＳ３８の処理が終了すると、ＡＦ／ＭＦ切換ＳＷ３３の状態を検出するための処理、即ち上述のステップＳ２の処理（図３参照）に戻り、以降の処理が繰り返される。
【００９７】
なお、本実施形態の電子的撮像装置１においては、拡大すべき表示領域を示す座標データを、ＥＥＰＲＯＭ２６へ予め記憶しておくようにしているので、これらの情報は、必要に応じて任意に変更することは、容易に可能である。
【００９８】
ところで、所定の領域を拡大表示するための表示領域を小さく設定する程、その拡大率は大きくなるが、この場合において、設定する表示領域をあまりに小さくしても、その設定値に基づいて拡大された画像が適切に表示されなければ無意味なものとなってしまう。したがって、拡大表示のための表示領域の設定は、表示装置２２の表示解像度（画素数）に応じて所定の上限値があるのは当然のことである。
【００９９】
例えば本電子的撮像装置１においては、倍率カウンタのカウント値＝［３］を設定した場合に最も大きな拡大率となるようにしているが、このときの座標データ（Ｐｓｔ３，Ｐｅｎｄ３）により示される領域の画素数が、表示装置２２自体の全表示画素数よりも少なくなるような設定をした場合には、これにより拡大される画像は、より大きな画像として観察することができるようにはなるが、解像力の劣化が必ず生じることになるので、その拡大表示画像によって焦点状態の確認等を行なうには不適であり、無意味なものであると考えられる。
【０１００】
したがって、上述の例では、倍率カウンタのカウント値＝［３］に設定した場合、即ち最大の拡大率となる場合の座標データ（Ｐｓｔ３，Ｐｅｎｄ３）により示される領域の画素数が、表示装置２２の全表示画素数以上となるようにすれば、解像力が劣化することなく望ましい表示を得られることになる。
【０１０１】
一方、上述のステップＳ３１において、システムコントローラ２７により倍率変更ＳＷ３４の信号状態がオフ状態であることが確認されて、ステップＳ３９の処理へ移行すると、このステップＳ３９において、システムコントローラ２７は、レンズＵＰＳＷ３５の信号状態を検出する。ここで、同レンズＵＰＳＷ３５の指示信号がオン状態であることが確認されると、ステップＳ４０の処理へ移行し、オフ状態であることが確認された場合には、ステップＳ４２の処理へと移行する。
【０１０２】
ステップＳ４０においては、システムコントローラ２７は、レンズ制御回路１４を介してレンズ駆動機構１３を駆動制御して、撮影光学系１２のうちの所定のフォーカスレンズを所定量だけ繰り出させる動作を実行する。そして、表示装置２２に表示される画像を更新するために上述のステップＳ３５の処理へと移行し、以降の処理を実行する。
【０１０３】
また、ステップＳ４２においては、システムコントローラ２７は、レンズＤＷＮＳＷ３６の信号状態を検出する。ここで、同レンズＤＯＷＮＳＷ３６の指示信号がオン状態であることが確認されると、ステップＳ４１の処理へ移行し、オフ状態であることが確認された場合には、ステップＳ４３の処理へと移行する。
【０１０４】
ステップＳ４１においては、システムコントローラ２７は、レンズ制御回路１４を介してレンズ駆動機構１３を駆動制御して、撮影光学系１２のうちの所定のフォーカスレンズを所定量だけ繰り込む動作を実行する。そして、表示装置２２に表示される画像を更新するために上述のステップＳ３５の処理へと移行し、以降の処理を実行する。
【０１０５】
したがって、上述のステップＳ３９〜Ｓ４１の処理によって、使用者は、撮影光学系１２のうちのフォーカスレンズの位置を任意に設定することができるのである。そして、このときフォーカスレンズの位置調整の都度、撮像動作を実行して表示装置２２に表示される拡大画像の更新を行なうようにしている。これによって使用者は、表示装置２２に表示される拡大画像を観察しつつ、レンズＵＰＳＷ３５又はレンズＤＯＷＮＳＷ３６に連動する各操作部材（レンズＵＰボタン４５・レンズＤＯＷＮボタン４６）を操作して、所望の被写体の焦点状態を観察しながら手動による焦点調節操作を行なうことができるのである。
【０１０６】
そして、ステップＳ４３において、システムコントローラ２７は、１ｓｔ．レリーズＳＷ３２ａの指示信号の状態を検出する。ここで、同ＳＷ３２ａがオン状態であることが確認されると、ステップＳ４４の処理へと移行し、オフ状態であることが確認されると上述のステップＳ２の処理（図３参照）に戻って、以降の処理を繰り返す。
【０１０７】
ステップＳ４４〜Ｓ４６の処理については、上述のステップＳ３〜Ｓ５と全く同様の処理が行なわれる。この処理によって、撮像素子１８により撮影し得る全範囲の画像が表示装置２２の表示画面の全領域を用いて表示されることになる。
【０１０８】
なお、上述のステップＳ３９〜Ｓ４１の処理において、撮影光学系１２のフォーカスレンズの位置を、レンズＵＰＳＷ３５又はレンズＤＯＷＮＳＷ３６に連動する各操作部材（レンズＵＰボタン４５・レンズＤＯＷＮボタン４６）によって調節しているときには、表示装置２２の表示画面上に拡大画像が表示されていることになる。したがって表示装置２２では、撮影し得る全範囲の画像の一部の領域を確認し得るのみの状態となっている。
【０１０９】
通常の場合、手動による焦点調節操作を完了した後には、実際の露光動作を実行するのに先立って撮影すべき画像の範囲を確認し、構図を設定するという作業が行なわれる。そのために、本電子的撮像装置１では、上述のステップＳ４３〜Ｓ４６の処理を設けているのである。
【０１１０】
つまり、表示装置２２の表示画面に拡大画像を表示させている状態においては、レリーズＳＷ３２を半押しする操作によって１ｓｔ．レリーズＳＷ３２ａからの指示信号を生じさせるのみで、使用者は、表示装置２２に表示されている拡大画像の表示を解除すると共に、同表示装置２２に撮影し得る全範囲の画像を表示させ、これを観察することができるのである。
【０１１１】
そして、このようにして構図を設定した後には、レリーズＳＷ３２をさらに押し込む操作によって、２ｎｄ．レリーズＳＷ３２ｂからの指示信号を生じさせて、実際の露光動作を開始させれば良い。
【０１１２】
即ち、ステップＳ４７において、システムコントローラ２７が、２ｎｄ．レリーズＳＷ３２ｂの指示信号の状態を検出し、同ＳＷ３２ｂがオン状態になったときには、上述のステップＳ２２の処理へと移行して所望の画像信号を取得するための実際の露光動作を開始する。
【０１１３】
なお、ステップＳ４７において、レリーズＳＷ３２ｂの指示信号がオフ状態である場合には、上述のステップＳ２の処理へと移行して、以降の処理が繰り返されることになる。
【０１１４】
以上説明したように上記一実施形態によれば、撮影動作時において、焦点調節モードをＡＦモードに設定した場合には、撮影動作に連動して、自動的にＡＦエリア近傍の所定の表示領域に対応する画像が表示装置２２の表示画面に拡大された形態で所定の時間だけ表示されるように制御されている。したがって、本電子的撮像装置１の使用者は、表示装置２２の拡大画像を観察して所望の被写体の焦点状態を実際の露光動作を実行する前に容易に確認することができる。
【０１１５】
また、撮影動作時において、焦点調節モードをＭＦモードに設定した場合には、手動による焦点調節動作を行なう際に、表示装置２２の表示画面に表示される拡大画像の倍率を任意に選択し、所望の被写体の焦点状態を容易に確認することができる。
【０１１６】
また、焦点調節動作が完了し、表示装置２２の表示によって焦点状態が確認された後は、表示装置２２の表示を通常形態の画像となるように自動的に切り換えるようにしたので、焦点調節動作後に続けて行なわれる動作、例えば構図の設定等を支障なく行なうことができる。したがって、極めて操作性の良好な電子的撮像装置を提供することができる。
【０１１７】
［付記］
上記発明の実施形態により、以下のような構成の発明を得ることができる。
【０１１８】
（１）  撮影光学系と、
この撮影光学系により結像される被写体像に基づいて被写体の画像データを生成する撮像手段と、
上記画像データを画像表示する表示手段と、
上記画像データを拡大表示するように上記表示手段を制御する制御手段と、
上記撮影光学系を駆動して焦点調節動作を行なう焦点調節手段と、
この焦点調節手段を起動させるための手動操作部材と、
を具備し、
上記制御手段は、上記焦点調節手段の起動に先立って作動を開始する電子的撮像装置。
【０１１９】
（２）  付記１に記載の電子的撮像装置において、
上記手動操作部材は、レリーズボタンを含む電子的撮像装置。
【０１２０】
（３）  付記１に記載の電子的撮像装置において、
上記手動操作部材は、撮影光学系の焦点調節動作を行なうための操作ボタンを含む電子的撮像装置。
【０１２１】
【発明の効果】
以上述べたように本発明によれば、表示手段を備えた電子的撮像装置において、撮影動作を実行する場合にも、より簡単な操作を行なうのみで、表示装置に表示される画像によって所望の被写体の焦点状態を容易に確認し得る電子的撮像装置を提供することができる。
【図面の簡単な説明】
【図１】本発明の一実施形態の電子的撮像装置における内部構成を示すブロック構成図。
【図２】図１の電子的撮像装置を背面側から見た場合の外観斜視図であって、複数の操作スイッチの状態を変化させるための操作部材の配置を示す図。
【図３】図１の電子的撮像装置における撮影動作時のシステムコントローラの作用を示すフローチャート。
【図４】図１の電子的撮像装置における撮影動作時のシステムコントローラの作用を示すフローチャート。
【図５】図１の電子的撮像装置における撮像素子により取得される画像信号によって表示される画像の範囲とＡＦ表示領域との関係を示す図。
【図６】図１の電子的撮像装置における撮像素子により取得される画像信号によって表示される画像の範囲とＡＦ表示領域との関係を示す図であって、三つの測距エリアを有する測距センサに対応するように設定したＡＦ表示領域の例を示す図。
【図７】図１の電子的撮像装置をＭＦモードで撮影する際に設定し得る拡大表示を行なう場合の表示領域（撮像素子の受光面の座標データに基づいて示される表示領域）を示す図。
【符号の説明】
１……電子的撮像装置
２……レンズ鏡筒
３……光学ファインダー接眼部
１１……測距センサ
１２……撮影光学系
１３……レンズ駆動機構（レンズ駆動手段、焦点調節手段）
１４……レンズ制御回路（レンズ駆動手段、焦点調節手段）
１５……測距センサ
１５ａ……セパレータレンズ
１５ｂ……ラインセンサ
１６……測距回路
１７……フイルター
１８……撮像素子（撮像手段）
１９……Ａ／Ｄコンバーター
２０……画像信号コントローラ（ＤＳＰ；画像処理手段、焦点検出手段）
２１……表示回路（表示手段）
２２……表示装置（表示手段）
２３……画像圧伸回路
２４……記録媒体
２５……ＤＲＡＭ（記憶手段）
２６……ＥＥＰＲＯＭ
２７……システムコントローラ（制御手段）
２８……タイミングパルス発生回路
３１……パワーＳＷ
３２……レリーズＳＷ
３２ａ……１ｓｔ．レリーズＳＷ
３２ｂ……２ｎｄ．レリーズＳＷ
３３……ＡＦ／ＭＦ切換スイッチ
３４……倍率変更スイッチ
３５…レンズＵＰＳＷ
３６……レンズＤＯＷＮＳＷ
４１……パワーボタン（手動操作部材）
４２……レリーズボタン（手動操作部材）
４３……ＡＦ／ＭＦ切換ボタン（手動操作部材）
４４……倍率変更ボタン（手動操作部材）
４５……レンズアップボタン(レンズＵＰボタン；手動操作部材）
４６……レンズダウンボタン（レンズＤＯＷＮボタン；手動操作部材）
【図１】
0004190094.tif 000003
【図２】
0004190094.tif 000004
【図３】
0004190094.tif 000005
【図４】
0004190094.tif 000006
【図５】
0004190094.tif 000007
【図６】
0004190094.tif 000008
【図７】
0004190094.tif 000009